(57)【要約】薄型表示装置は、表示ユニットと、この表示ユニットを収納する外装ケースとを備える。梱包箱２１に収容したときに梱包箱の上部および下部のコーナー部に分離して配置された上部コーナー部の緩衝材２２および下部コーナー部の緩衝材２３により外装ケースの上部および下部のコーナー部領域が保持される。外装ケース５は、表示ユニットの表示面側に配置されるフロントキャビネット６と、表示ユニットの背面側を覆うバックキャビネット７とを備える。バックキャビネット７は、周縁部に設けたねじ止め部７ａよりフロントキャビネット６に取り付けられる。バックキャビネットのねじ止め部７ａは、外装ケース５の上部および下部のコーナー部領域５ａ、５ｂ、５ｃ、５ｄにおいて、緩衝材２２，２３に保持される領域内に位置する。輸送時に受ける機械的衝撃などの外力による破損を防ぐことができる。
2012117740.tif 000002
【特許請求の範囲】
【請求項１】
平面型の表示パネルおよびこの表示パネルに画像を表示するための駆動回路ブロックを有する表示ユニットと、この表示ユニットを収納する外装ケースとを備え、かつ梱包箱に収容したときに梱包箱の上部および下部のコーナー部に分離して配置された上部コーナー部の緩衝材および下部コーナー部の緩衝材により前記外装ケースの上部および下部のコーナー部領域が保持される薄型表示装置であって、
前記外装ケースは、前記表示ユニットの表示面側に配置されるフロントキャビネットと、前記表示ユニットの背面側を覆うバックキャビネットとを備え、
前記バックキャビネットは、周縁部に設けたねじ止め部により前記フロントキャビネットに取り付けられ、
前記外装ケースの上部および下部のコーナー部領域において、前記バックキャビネットのねじ止め部は、前記緩衝材により保持される領域内に位置することを特徴とする薄型表示装置。
【請求項２】
前記上部コーナー部の緩衝材および前記下部コーナー部の緩衝材は、前記外装ケースのコーナー部を覆うコーナー領域部と、このコーナー領域部から対向するコーナー部側に向かって延長させた延長領域部とを有し、
前記延長領域部は、表示パネルに直交する方向に突出する突出部を備え、この突出部の先端部のみで前記梱包箱の内壁面に当接し、かつ
前記突出部の先端部よりも前記コーナー領域部側に前記バックキャビネットのねじ止め部が位置することを特徴とする請求項１に記載の薄型表示装置。
【請求項３】
前記バックキャビネットは短辺と長辺を備え、
前記バックキャビネットの前記短辺側のすべて前記ねじ止め部が、前記突出部の先端部よりも前記コーナー領域部側に位置することを特徴とする請求項１に記載の薄型表示装置。
【請求項４】
前記上部コーナー部および下部コーナー部の緩衝材のうちの少なくともいずれか一つと梱包箱との間に空間を設けたことを特徴とする請求項１から請求項３のいずれか１項に記載の薄型表示装置。
【請求項５】
前記上部コーナー部および下部コーナー部の緩衝材のうちの少なくともいずれか一つの延長領域部が肉薄部を備えることを特徴とする請求項１から請求項４のいずれか１項に記載の薄型表示装置。
【発明の詳細な説明】
【技術分野】
【０００１】
本発明は、テレビジョン受像機やモニター装置に使用される液晶表示装置等の薄型表示装置に関する。
【背景技術】
【０００２】
液晶表示装置は、平面型の薄型表示装置として、一般家庭は勿論のこと、業務用として、需要が拡大している。【０００３】
一般的に液晶表示装置は、平面型の液晶表示パネルの背面側に、面光源としてのバックライト装置を配置して構成した表示モジュールを備える。この表示モジュールは、フロントキャビネットとバックキャビネットからなる薄型の筐体の内部に収容されている (特許文献１参照)。
【先行技術文献】
【特許文献】
【０００４】
【特許文献１】特開２００９−１３９４２６号公報
【発明の概要】
【発明が解決しようとする課題】
【０００５】
ところで、このような液晶表示装置においては、ＬＥＤを用いたバックライト装置の普及に伴い、より一層の薄型化が図られている。また、外観デザインの観点から、画像表示領域に比べてフロントキャビネットの周縁部を狭くした、狭額縁のデザイン形状の製品が増えてきている。【０００６】
このように液晶表示装置などの薄型表示装置においては、従来に比べ、より一層薄型化が図られていることと、狭額縁デザインの採用とにより、表示装置としての機械的な強度が弱くなる傾向にあり、輸送時に受ける機械的衝撃による破損が課題となってきている。【０００７】
本発明はこのような現状に鑑みなされたもので、薄型表示装置において、輸送時に受ける機械的衝撃などの外力による破損を防ぐことを目的とする。
【課題を解決するための手段】
【０００８】
この課題を解決するために本発明は、平面型の表示パネルおよびこの表示パネルに画像を表示するための駆動回路ブロックを有する表示ユニットと、この表示ユニットを収納する外装ケースとを備え、かつ梱包箱に収容したときに梱包箱の上部および下部のコーナー部に分離して配置された上部コーナー部の緩衝材および下部コーナー部の緩衝材により前記外装ケースの上部および下部のコーナー部領域が保持される薄型表示装置であって、
前記外装ケースは、前記表示ユニットの表示面側に配置されるフロントキャビネットと、前記表示ユニットの背面側を覆うバックキャビネットとを備え、前記バックキャビネットは、周縁部に設けたねじ止め部により前記フロントキャビネットに取り付けられ、前記外装ケースの上部および下部のコーナー部領域において、前記バックキャビネットのねじ止め部は、前記緩衝材により保持される領域内に位置することを特徴とする。
【発明の効果】
【０００９】
本発明に係る薄型表示装置においては、バックキャビネットの周縁部に設けたねじ止め部を外装ケースの上部および下部のコーナー部領域において緩衝材により保持される領域内に位置させることで、輸送時に受ける機械的衝撃などの外力による表示パネルなどの破損を防ぐことができる。
【図面の簡単な説明】
【００１０】
【図１】本発明の一実施の形態に係る液晶表示装置の外観を示す正面斜視図。
【図２】同液晶表示装置のスタンドを取り外した状態を示す背面斜視図。
【図３】同液晶表示装置の全体構成の回路ブロックを示すブロック図。
【図４】同液晶表示装置の回路ブロックの配置例を説明するためにバックキャビネットを取り除いて示す背面図。
【図５】同液晶表示装置を上下方向で切断した断面図。
【図６】表示装置本体を梱包箱に収容している状態を示す斜視図。
【図７】表示装置本体と緩衝材との位置関係を示す斜視図。
【図８】梱包した状態で上下方向に切断した断面図（図６のVII-VII線）。
【図９】破損防止効果を説明するための模式断面図。
【発明を実施するための形態】
【００１１】
以下、本発明の一実施の形態による薄型表示装置について、液晶表示装置に使用する表示モジュールを例にとって図面を参照しながら説明する。また、以下の説明における位置や方向に関する用語の意味は、特に言及しない限り以下の通りである。図１を参照すると、「前面」および「背面」という用語は液晶表示パネル３を基準にする。つまり、液晶表示パネル３の両面のうち画像が表示される側が「前面」であり、その反対側が「背面」である。「上」、「下」、「左」、「右」、及び「横」は液晶表示装置が使用時の姿勢にあるときに液晶表示パネル３を前面側から見た方向基準にする。
【００１２】
図１および図２は本発明の一実施の形態において、完成品である液晶表示装置の外観を示す図、図３は液晶表示装置の全体構成の回路ブロックを示す図、図４は同液晶表示装置の回路ブロックの配置例を説明するためにバックキャビネットを取り除いて示す図、図５は液晶表示装置を上下方向で切断して示す断面図である。
【００１３】
まず、図１および図２に示すように、液晶表示装置は、表示装置本体１と、この表示装置本体１を立てた状態で保持するスタンド２とを有している。表示装置本体１は、平面型の表示パネルである液晶表示パネル３と、バックライト装置４（図５に図示）と液晶表示パネル３に画像を表示するための駆動回路ブロックとを有する表示ユニットを備える。この表示ユニットと、表示ユニットとともに表示装置本体１を構成する装置構成部品（例えばスピーカ―１１）とは、樹脂成型品などからなる外装ケース５内に収容されている。また、外装ケース５は、液晶表示パネル３の画像表示領域に対応するように開口部６ａを設けたフロントキャビネット６と、このフロントキャビネット６と組み合わせられて表示ユニットの背面側を覆うバックキャビネット７とから構成されている。図２に最も明瞭に示すように、外装ケース５のバックキャビネット７は、周縁部に設けた複数のねじ止め部７ａにおいてビスによるねじ止めでフロントキャビネット６に対して取り付けられている。
【００１４】
また、図３および図４に示すように、液晶表示装置は、概ね、信号処理回路ブロック８と、電源ブロック９と、チューナ１０と、音声出力のためのスピーカ１１とから構成されている。信号処理回路ブロック８は、液晶表示パネル３に画像を表示する駆動回路を備えるとともに、バックライト装置４の点灯を制御する点灯制御回路を備える。電源ブロック９は、液晶表示パネル３、バックライト装置４および信号処理回路ブロック８に電源電圧を供給する。チューナ１０は、テレビジョン放送を受信して前記信号処理回路ブロック８に受信信号を供給する。信号処理回路ブロック８と電源ブロック９は、それぞれ回路基板に回路を構成する部品を搭載することにより構成されている。そして、信号処理回路ブロック８、電源ブロック９、およびチューナ１０などを搭載した回路基板は、バックライト装置４の背面とバックキャビネット７との間の空間に配置されるように外装ケース５に対して取り付けられている。
【００１５】
なお、図３においては、スピーカ１１の図示を省略して示している。また、図４において、参照符号１２はＤＶＤプレーヤーなどの外部機器からの映像信号を液晶表示装置に入力するための外部信号入力端子で、信号処理回路ブロック８に搭載されている。
【００１６】
図６〜図８は液晶表示装置の梱包方法を説明するための図であり、図６は表示装置本体１の梱包箱２１への収容状態を示す分解斜視図、図7は表示装置本体１と緩衝材２２，２３との位置関係を示す斜視図、図８は梱包した状態で上下方向に切断した断面図である。
【００１７】
図６〜図８に示すように、表示装置本体１は、包装袋（図示せず）で覆った後、リモコンなどの付属品２０とともに、例えばダンボールからなる梱包箱２１に収容することにより梱包される。本実施の形態では、梱包箱２１の形状は概ね扁平な直方体状である。梱包箱２１の上部にある２つのコーナー部には緩衝材２２がそれぞれ配置されている。２つの緩衝材２２は別体であって横方向に互いに間隔をあけて分離して配置されている。同様に、梱包箱２１の下部にある２つのコーナー部にも緩衝材２３が横方向に間隔をあけてそれぞれ分離して配置されている。上下方向に対向して配置されている上部コーナー部の緩衝材２２と下部コーナー部の緩衝材２３も互いに分離して配置されている。また、梱包箱２１内の上部中央部および下部中央部にも、緩衝材２２，２３とは分離した状態で緩衝材２４が配置されている。これらの緩衝材２２，２３，２４は、本実施形態では発泡スチロールを所定の形状に成形することにより得られる。緩衝材２２，２３，２４の材質は、梱包箱２１内の液晶表示装置を適切に保護できる限り、特に限定されない。
【００１８】
梱包箱２１内の上部および下部のコーナー部に配置した緩衝材２２，２３により、図２、図４、および図６に示すように、表示装置本体１の外装ケース５の４つのコーナー部領域、すなわち上部のコーナー部領域５ａ，５ｂと下部のコーナー部領域５ｃ，５ｄが保持される。
【００１９】
図７および図８に示すように、上部コーナー部の緩衝材２２および下部コーナー部の緩衝材２３は、外装ケース５のコーナー部を覆うコーナー領域部２２ａ，２３ａを備えている。また、緩衝部材２２，２３は、コーナー領域部２２ａ，２３ａから対向するコーナー部に向かって延長させた２対の延長領域部２２ｂ〜２２ｂ’’’，２３ｂ〜２３ｂ’’’を、それぞれ有する。まず、上部コーナー部の緩衝材２２は、横方向に延びる一対の延長領域部２２ｂ，２２ｂ’と下方に延びる一対の延長領域部２２ｂ’’，２２ｂ’’’とを備える。延長領域部２２ｂと延長領域部２２ｂ’は前後方向に間隔をあけて対向し、延長領域部２２ｂ’’と延長領域部２２ｂ’’’も前後方向に間隔をあけて対向している。同様に、下部コーナー部の緩衝材２３は、横方向に延びる一対の延長領域部２３ｂ，２３ｂ’と上方に延びる一対の延長領域部２３ｂ’’，２３ｂ’’’とを備える。延長領域部２３ｂと延長領域部２３ｂ’は前後方向に間隔をあけて対向し、延長領域部２３ｂ’’と延長領域部２３ｂ’’’も前後方向に間隔をあけて対向している。
【００２０】
緩衝材２２，２３には、表示装置本体１の外装ケース５のコーナー領域５ａ〜５ｄが嵌り込む溝２２ｄ，２３ｄが設けられている。これらの溝２２ｄ，２３ｄは、コーナー領域部２２ａ，２３ａに形成した切込と、前後方向に対向する延長領域部２２ｂ〜２２ｂ’’’，２３ｂ〜２３ｂ’’’間の隙間により構成されている。また、上部中央部および下部中央部に配置された緩衝材２４にも、表示装置本体１の外装ケース５の上部中央部および下部中央部が嵌り込む溝２４ａが設けられている。
【００２１】
上部コーナー部の緩衝材２２のコーナー領域部２２ａは、上表面側と横表面側とが梱包箱２１の内壁面に当接している。また、下部コーナー部の緩衝材２３のコーナー領域部２３ａは下表面側と横表面側とが梱包箱２１の内壁面に当接している。
【００２２】
延長領域部２２ｂ〜２３ｂ’’’は、表示パネルに直交する方向(前後方向)に突出する突出部２２ｅ，２３ｅを備える。延長領域部２２ｂ〜２３ｂ’’’は、突出部２２ｅ，２２ｆの先端部２２ｃ，２３ｃにおいてのみ梱包箱２１の内壁面に当接している。
【００２３】
図８を参照すると、上部および下部コーナー部の緩衝材２２，２３と梱包箱２１の内壁面との間には空間２５が設けられている。まず、上部コーナー部の緩衝材２２の前側には、コーナー領域部２２ａ及び延長領域部２２ｂ,２２ｂ’の前表面（突出部２２ｅの先端部２２ｃを除く）と梱包箱２１の内壁面との間に空間２５が設けられている。次に上部コーナー部の緩衝材２２の背面側には、コーナー領域部２２ａ及び延長領域部２２ｂ’’,２２ｂ’’’の背表面（突出部２２ｅの先端部２２ｃを除く）と梱包箱２１の内壁面との間に空間２５が設けられている。また、下部コーナー部の緩衝材２３の前側には、コーナー領域部２３ａ及び延長領域部２３ｂ，２３’の前表面（突出部２２ｅの先端部２２ｃを除く）と梱包箱２１の内壁面との間に空間２５が設けられている。さらに、下部コーナー部の緩衝材２３の背面側には、コーナー領域部２３ａ及び延長領域部２３’’，２３’’’の背表面（突出部２２ｅの先端部２２ｃを除く）と梱包箱２１の内壁面との間に空間２５が設けられている。
【００２４】
上部コーナー部の緩衝材２２において、バックキャビネット７側（背面側）の延長領域部２２ｂ’’，２２ｂ’’’と梱包箱２１に当接する先端部２２ｃとの間には、肉薄部２２ｆが形成されている。
【００２５】
ここで、図４に示すように、装置構成部品の１つであるスピーカ１１は、前記外装ケース５の周辺部に配置され、しかもスピーカ１１の重量の大きいマグネット１１ａが外装ケース５の下部コーナー部の緩衝材２３により保持される領域内に位置するように配置されている。すなわち、装置構成部品の１つであるスピーカ１１の重心位置が、外装ケース５の下部コーナー部の緩衝材２３により保持される領域内に位置するように配置されている。
装置構成部品としては、例えばWoofer、中継基板、基板取り付け用の金属金具などもあり、これらの重心位置を本実施の形態におけるスピーカ１１と同様に配置してもよい。
【００２６】
図９に示すように、平面型の表示パネルおよび駆動回路ブロックを有する表示ユニット２６と、この表示ユニット２６とともに表示装置を構成する装置構成部品２７（例えばスピーカ１１）を外装ケース５の周辺部に収納し、この装置構成部品２７の重心位置が、外装ケース５の上部コーナー部の緩衝材２２および下部コーナー部の緩衝材２３により保持される領域内に位置するように収納している。これにより輸送時における機械的衝撃などの外力による、表示装置本体１に加えられる変形が緩和される。以下、その理由を詳述する。
【００２７】
まず、梱包箱２１の内壁面に当接している突出部２２ｅ，２３ｅの先端部２２ｃ、２３ｃが緩衝材２２，２３に作用する外力に対して一種の支点として機能する。そのため、これらの支点（先端部２２ｃ、２３ｃ）より外側の領域に重量物が存在することによって、表示装置本体１の輸送時、表示装置本体１に機械的衝撃が加えられ、表示装置本体１を変形させようとする力が加わったとき、この力が表示装置本体１の中央部分に集中することなく分散する。表示装置本体１を変形させようとする力の分散に対応して、概念的には、図９の点線Ａで示すように変形が分散される。この結果、表示装置本体１が薄型となり、全体としての機械的強度が低下した場合であっても、輸送時の機械的衝撃などの外力による表示装置本体１が破損してしまうのを防止することができる。
【００２８】
図９では、外装ケース５の上部コーナー部の緩衝材２２により保持される領域内および下部コーナー部の緩衝材２３により保持される領域内の両方に装置構成部品２７の重心位置が位置している。しかし、図４に示すように、装置構成部品の１つであるスピーカ１１の重心位置が、外装ケース５の下部コーナー部の緩衝材２３により保持される領域内に位置するように配置した場合であっても、輸送時の機械的衝撃などの外力に対して図９と同様に変形を分散させる効果がある。すなわち、外装ケース５の上部コーナー部の緩衝材２２および下部コーナー部の緩衝材２３のうちの少なくとも一方の緩衝材により保持される領域内に構成部品２７の重心位置が位置していれば、外力による表示装置本体１の破損を防止する効果がある。
【００２９】
図２を参照すると、前述のように表示ユニットの背面側を覆うバックキャビネット７は、周縁部を複数のねじ止め部７ａにおいてねじ止めすることによりフロントキャビネット６に取り付けられている。外装ケース５が狭額縁化されるに伴い、外装ケース５の周縁部の幅が狭くなって強度が低下し、またねじ止め部７ａを行うためのビス穴を開ける必要があるため、さらに強度が低下してしまう。
【００３０】
しかし、図２に最も明瞭に示すように、本実施の形態では、複数のねじ止め部７ａのうち、外装ケース５の上部および下部のコーナー部領域５ａ、５ｂ、５ｃ、５ｄのねじ止め部７ａは、緩衝材２２、２３に保持される領域内に設けている。そのため、輸送時の機械的衝撃などの外力が作用した場合に、コーナー部領域５ａ、５ｂ、５ｃ、５ｄのねじ止め部７ａに伝わる力が減少ないし緩和される。その結果、外装ケース５が狭額縁化されるに伴い、表示装置本体１の外装ケース５の周縁部の強度が低下した場合であっても、表示装置本体１において、その強度が低下した部分に集中して変形させようとする力が加わりにくくなり、この結果、輸送途中で表示装置本体１が破損してしまうのを防止することができる。また、本実施の形態では、バックキャビネット７の短辺側(正面から見たときに長い方の一対の周縁部が長辺で短い方の一対の周縁部が短辺)のすべてねじ止め部７ａが、突出部２２ｅ，２３ｅの先端部２２ｃ，２３ｃよりもコーナー領域部５ａ〜５ｄ側に位置している。この構成により、輸送途中で表示装置本体１が破損してしまうのをより確実に防止できる。
【００３１】
図８を参照すると、前述のように上部および下部の緩衝材２２，２３と梱包箱２１との間には空間２５が設けられている。これらの空間部２５が存在することで、輸送時の機械的衝撃などの外力が作用した際に、緩衝材２２，２３に伝わる力を低減できるので、外装ケース５の上部および下部のコーナー部領域５ａ、５ｂ、５ｃ、５ｄに作用する力を低減ないし緩和できる。また、上部コーナー部の緩衝材２２のバックキャビネット７(背面側)の延長領域部２２ｂ’，２２ｂ’’が備える肉薄部２２ｆは、輸送時の機械的衝撃などの外力が作用した際に、緩衝材２２の他の部分（特にコーナー領域部２２ａ）よりも容易に変形するので、作用した外力を吸収する機能がある。従って、肉薄部２２ｆを設けたことによっても、外装ケース５に作用する力を低減ないし緩和できる。肉薄部は上部および下部コーナー部の緩衝材２２の延長領域部２２ｂ〜２３’’’のすべてに設けてもよいし、これらのうちから一つ又は複数を選んで設けてもよい。
【００３２】
このように本発明においては、薄型表示装置において、より一層の薄型化と狭額縁デザインの採用により機械的な強度が低下しても、輸送時に受ける機械的衝撃などの外力による破損を効果的に防ぐことができる。
【産業上の利用可能性】
【００３３】
以上のように本発明によれば、輸送時における機械的衝撃などの外力による薄型表示装置の破損を防ぐ上で有用な発明である。
【符号の説明】
【００３４】
１  表示装置本体
３  液晶表示パネル
４  バックライト装置
５  外装ケース
５ａ、５ｂ、５ｃ、５ｄ  コーナー部領域
６  フロントキャビネット
７  バックキャビネット
８  信号処理回路ブロック
９  電源ブロック
１０  チューナ
１１  スピーカ
２１  梱包箱
２２，２３，２４  緩衝材
２２ａ，２３ａ  コーナー領域部
２２ｂ，２２ｂ’，２２ｂ’’，２２ｂ’’’，２３ｂ，２３ｂ’,２３ｂ’’，２３ｂ’’’  延長領域部
２２ｃ，２３ｃ  先端部
２２ｅ，２３ｅ  突出部
２２ｆ  肉薄部
２５  空間
２６  表示ユニット
２７  装置構成部品
【図１】
2012117740.tif 000003
【図２】
2012117740.tif 000004
【図３】
2012117740.tif 000005
【図４】
2012117740.tif 000006
【図５】
2012117740.tif 000007
【図６】
2012117740.tif 000008
【図７】
2012117740.tif 000009
【図８】
2012117740.tif 000010
【図９】
2012117740.tif 000011
【手続補正書】
【提出日】平成25年6月25日(2013.6.25)
【手続補正１】
【補正対象書類名】明細書
【補正対象項目名】全文
【補正方法】変更
【補正の内容】
【発明の詳細な説明】
【技術分野】
【０００１】
本発明は、テレビジョン受像機やモニター装置に使用される液晶表示装置等の薄型表示装置に関する。
【背景技術】
【０００２】
液晶表示装置は、平面型の薄型表示装置として、一般家庭は勿論のこと、業務用として、需要が拡大している。
【０００３】
一般的に液晶表示装置は、平面型の液晶表示パネルの背面側に、面光源としてのバックライト装置を配置して構成した表示モジュールを備える。この表示モジュールは、フロントキャビネットとバックキャビネットからなる薄型の筐体の内部に収容されている (特許文献１参照)。
【先行技術文献】
【特許文献】
【０００４】
【特許文献１】特開２００９−１３９４２６号公報
【発明の概要】
【発明が解決しようとする課題】
【０００５】
ところで、このような液晶表示装置においては、ＬＥＤを用いたバックライト装置の普及に伴い、より一層の薄型化が図られている。また、外観デザインの観点から、画像表示領域に比べてフロントキャビネットの周縁部を狭くした、狭額縁のデザイン形状の製品が増えてきている。
【０００６】
このように液晶表示装置などの薄型表示装置においては、従来に比べ、より一層薄型化が図られていることと、狭額縁デザインの採用とにより、表示装置としての機械的な強度が弱くなる傾向にあり、輸送時に受ける機械的衝撃による破損が課題となってきている。
【０００７】
本発明はこのような現状に鑑みなされたもので、薄型表示装置において、輸送時に受ける機械的衝撃などの外力による破損を防ぐことを目的とする。
【課題を解決するための手段】
【０００８】
この課題を解決するために本発明は、平面型の表示パネルおよびこの表示パネルに画像を表示するための駆動回路ブロックを有する表示ユニットと、この表示ユニットを収納する外装ケースとを備え、かつ梱包箱に収容したときに梱包箱の上部および下部のコーナー部に分離して配置された上部コーナー部の緩衝材および下部コーナー部の緩衝材により前記外装ケースの上部および下部のコーナー部領域が保持される薄型表示装置であって、
前記外装ケースは、前記表示ユニットの表示面側に配置されるフロントキャビネットと、前記表示ユニットの背面側を覆うバックキャビネットとを備え、前記バックキャビネットは、周縁部に設けたねじ止め部により前記フロントキャビネットに取り付けられ、前記外装ケースの上部および下部のコーナー部領域において、前記バックキャビネットのねじ止め部は、前記緩衝材により保持される領域内に位置することを特徴とする。
【発明の効果】
【０００９】
本発明に係る薄型表示装置においては、バックキャビネットの周縁部に設けたねじ止め部を外装ケースの上部および下部のコーナー部領域において緩衝材により保持される領域内に位置させることで、輸送時に受ける機械的衝撃などの外力による表示パネルなどの破損を防ぐことができる。
【図面の簡単な説明】
【００１０】
【図１】本発明の一実施の形態に係る液晶表示装置の外観を示す正面斜視図。
【図２】同液晶表示装置のスタンドを取り外した状態を示す背面斜視図。
【図３】同液晶表示装置の全体構成の回路ブロックを示すブロック図。
【図４】同液晶表示装置の回路ブロックの配置例を説明するためにバックキャビネットを取り除いて示す背面図。
【図５】同液晶表示装置を上下方向で切断した断面図。
【図６】表示装置本体を梱包箱に収容している状態を示す斜視図。
【図７】表示装置本体と緩衝材との位置関係を示す斜視図。
【図８】梱包した状態で上下方向に切断した断面図（図６のVII-VII線）。
【図９】破損防止効果を説明するための模式断面図。
【発明を実施するための形態】
【００１１】
以下、本発明の一実施の形態による薄型表示装置について、液晶表示装置に使用する表示モジュールを例にとって図面を参照しながら説明する。また、以下の説明における位置や方向に関する用語の意味は、特に言及しない限り以下の通りである。図１を参照すると、「前面」および「背面」という用語は液晶表示パネル３を基準にする。つまり、液晶表示パネル３の両面のうち画像が表示される側が「前面」であり、その反対側が「背面」である。「上」、「下」、「左」、「右」、及び「横」は液晶表示装置が使用時の姿勢にあるときに液晶表示パネル３を前面側から見た方向基準にする。
【００１２】
図１および図２は本発明の一実施の形態において、完成品である液晶表示装置の外観を示す図、図３は液晶表示装置の全体構成の回路ブロックを示す図、図４は同液晶表示装置の回路ブロックの配置例を説明するためにバックキャビネットを取り除いて示す図、図５は液晶表示装置を上下方向で切断して示す断面図である。
【００１３】
まず、図１および図２に示すように、液晶表示装置は、表示装置本体１と、この表示装置本体１を立てた状態で保持するスタンド２とを有している。表示装置本体１は、平面型の表示パネルである液晶表示パネル３と、バックライト装置４（図５に図示）と液晶表示パネル３に画像を表示するための駆動回路ブロックとを有する表示ユニットを備える。この表示ユニットと、表示ユニットとともに表示装置本体１を構成する装置構成部品（例えばスピーカ―１１）とは、樹脂成型品などからなる外装ケース５内に収容されている。また、外装ケース５は、液晶表示パネル３の画像表示領域に対応するように開口部６ａを設けたフロントキャビネット６と、このフロントキャビネット６と組み合わせられて表示ユニットの背面側を覆うバックキャビネット７とから構成されている。図２に最も明瞭に示すように、外装ケース５のバックキャビネット７は、周縁部に設けた複数のねじ止め部７ａにおいてビスによるねじ止めでフロントキャビネット６に対して取り付けられている。
【００１４】
また、図３および図４に示すように、液晶表示装置は、概ね、信号処理回路ブロック８と、電源ブロック９と、チューナ１０と、音声出力のためのスピーカ１１とから構成されている。信号処理回路ブロック８は、液晶表示パネル３に画像を表示する駆動回路を備えるとともに、バックライト装置４の点灯を制御する点灯制御回路を備える。電源ブロック９は、液晶表示パネル３、バックライト装置４および信号処理回路ブロック８に電源電圧を供給する。チューナ１０は、テレビジョン放送を受信して前記信号処理回路ブロック８に受信信号を供給する。信号処理回路ブロック８と電源ブロック９は、それぞれ回路基板に回路を構成する部品を搭載することにより構成されている。そして、信号処理回路ブロック８、電源ブロック９、およびチューナ１０などを搭載した回路基板は、バックライト装置４の背面とバックキャビネット７との間の空間に配置されるように外装ケース５に対して取り付けられている。
【００１５】
なお、図３においては、スピーカ１１の図示を省略して示している。また、図４において、参照符号１２はＤＶＤプレーヤーなどの外部機器からの映像信号を液晶表示装置に入力するための外部信号入力端子で、信号処理回路ブロック８に搭載されている。
【００１６】
図６〜図８は液晶表示装置の梱包方法を説明するための図であり、図６は表示装置本体１の梱包箱２１への収容状態を示す分解斜視図、図7は表示装置本体１と緩衝材２２，２３との位置関係を示す斜視図、図８は梱包した状態で上下方向に切断した断面図である。
【００１７】
図６〜図８に示すように、表示装置本体１は、包装袋（図示せず）で覆った後、リモコンなどの付属品２０とともに、例えばダンボールからなる梱包箱２１に収容することにより梱包される。本実施の形態では、梱包箱２１の形状は概ね扁平な直方体状である。梱包箱２１の上部にある２つのコーナー部には緩衝材２２がそれぞれ配置されている。２つの緩衝材２２は別体であって横方向に互いに間隔をあけて分離して配置されている。同様に、梱包箱２１の下部にある２つのコーナー部にも緩衝材２３が横方向に間隔をあけてそれぞれ分離して配置されている。上下方向に対向して配置されている上部コーナー部の緩衝材２２と下部コーナー部の緩衝材２３も互いに分離して配置されている。また、梱包箱２１内の上部中央部および下部中央部にも、緩衝材２２，２３とは分離した状態で緩衝材２４が配置されている。これらの緩衝材２２，２３，２４は、本実施形態では発泡スチロールを所定の形状に成形することにより得られる。緩衝材２２，２３，２４の材質は、梱包箱２１内の液晶表示装置を適切に保護できる限り、特に限定されない。
【００１８】
梱包箱２１内の上部および下部のコーナー部に配置した緩衝材２２，２３により、図２、図４、および図６に示すように、表示装置本体１の外装ケース５の４つのコーナー部領域、すなわち上部のコーナー部領域５ａ，５ｂと下部のコーナー部領域５ｃ，５ｄが保持される。
【００１９】
図７および図８に示すように、上部コーナー部の緩衝材２２および下部コーナー部の緩衝材２３は、外装ケース５のコーナー部を覆うコーナー領域部２２ａ，２３ａを備えている。また、緩衝部材２２，２３は、コーナー領域部２２ａ，２３ａから対向するコーナー部に向かって延長させた２対の延長領域部２２ｂ〜２２ｂ’’’，２３ｂ〜２３ｂ’’’を、それぞれ有する。まず、上部コーナー部の緩衝材２２は、横方向に延びる一対の延長領域部２２ｂ，２２ｂ’と下方に延びる一対の延長領域部２２ｂ’’，２２ｂ’’’とを備える。延長領域部２２ｂと延長領域部２２ｂ’は前後方向に間隔をあけて対向し、延長領域部２２ｂ’’と延長領域部２２ｂ’’’も前後方向に間隔をあけて対向している。同様に、下部コーナー部の緩衝材２３は、横方向に延びる一対の延長領域部２３ｂ，２３ｂ’と上方に延びる一対の延長領域部２３ｂ’’，２３ｂ’’’とを備える。延長領域部２３ｂと延長領域部２３ｂ’は前後方向に間隔をあけて対向し、延長領域部２３ｂ’’と延長領域部２３ｂ’’’も前後方向に間隔をあけて対向している。
【００２０】
緩衝材２２，２３には、表示装置本体１の外装ケース５のコーナー領域５ａ〜５ｄが嵌り込む溝２２ｄ，２３ｄが設けられている。これらの溝２２ｄ，２３ｄは、コーナー領域部２２ａ，２３ａに形成した切込と、前後方向に対向する延長領域部２２ｂ〜２２ｂ’’’，２３ｂ〜２３ｂ’’’間の隙間により構成されている。また、上部中央部および下部中央部に配置された緩衝材２４にも、表示装置本体１の外装ケース５の上部中央部および下部中央部が嵌り込む溝２４ａが設けられている。
【００２１】
上部コーナー部の緩衝材２２のコーナー領域部２２ａは、上表面側と横表面側とが梱包箱２１の内壁面に当接している。また、下部コーナー部の緩衝材２３のコーナー領域部２３ａは下表面側と横表面側とが梱包箱２１の内壁面に当接している。
【００２２】
延長領域部２２ｂ〜２３ｂ’’’は、表示パネルに直交する方向(前後方向)に突出する突出部２２ｅ，２３ｅを備える。延長領域部２２ｂ〜２３ｂ’’’は、突出部２２ｅ，２２ｆの先端部２２ｃ，２３ｃにおいてのみ梱包箱２１の内壁面に当接している。
【００２３】
図８を参照すると、上部および下部コーナー部の緩衝材２２，２３と梱包箱２１の内壁面との間には空間２５が設けられている。まず、上部コーナー部の緩衝材２２の前側には、コーナー領域部２２ａ及び延長領域部２２ｂ,２２ｂ’の前表面（突出部２２ｅの先端部２２ｃを除く）と梱包箱２１の内壁面との間に空間２５が設けられている。次に上部コーナー部の緩衝材２２の背面側には、コーナー領域部２２ａ及び延長領域部２２ｂ’’,２２ｂ’’’の背表面（突出部２２ｅの先端部２２ｃを除く）と梱包箱２１の内壁面との間に空間２５が設けられている。また、下部コーナー部の緩衝材２３の前側には、コーナー領域部２３ａ及び延長領域部２３ｂ，２３’の前表面（突出部２２ｅの先端部２２ｃを除く）と梱包箱２１の内壁面との間に空間２５が設けられている。さらに、下部コーナー部の緩衝材２３の背面側には、コーナー領域部２３ａ及び延長領域部２３’’，２３’’’の背表面（突出部２３ｅの先端部２３ｃを除く）と梱包箱２１の内壁面との間に空間２５が設けられている。
【００２４】
上部コーナー部の緩衝材２２において、バックキャビネット７側（背面側）の延長領域部２２ｂ’’，２２ｂ’’’と梱包箱２１に当接する先端部２２ｃとの間には、肉薄部２２ｆが形成されている。
【００２５】
ここで、図４に示すように、装置構成部品の１つであるスピーカ１１は、前記外装ケース５の周辺部に配置され、しかもスピーカ１１の重量の大きいマグネット１１ａが外装ケース５の下部コーナー部の緩衝材２３により保持される領域内に位置するように配置されている。すなわち、装置構成部品の１つであるスピーカ１１の重心位置が、外装ケース５の下部コーナー部の緩衝材２３により保持される領域内に位置するように配置されている。
装置構成部品としては、例えばWoofer、中継基板、基板取り付け用の金属金具などもあり、これらの重心位置を本実施の形態におけるスピーカ１１と同様に配置してもよい。
【００２６】
図９に示すように、平面型の表示パネルおよび駆動回路ブロックを有する表示ユニット２６と、この表示ユニット２６とともに表示装置を構成する装置構成部品２７（例えばスピーカ１１）を外装ケース５の周辺部に収納し、この装置構成部品２７の重心位置が、外装ケース５の上部コーナー部の緩衝材２２および下部コーナー部の緩衝材２３により保持される領域内に位置するように収納している。これにより輸送時における機械的衝撃などの外力による、表示装置本体１に加えられる変形が緩和される。以下、その理由を詳述する。
【００２７】
まず、梱包箱２１の内壁面に当接している突出部２２ｅ，２３ｅの先端部２２ｃ、２３ｃが緩衝材２２，２３に作用する外力に対して一種の支点として機能する。そのため、これらの支点（先端部２２ｃ、２３ｃ）より外側の領域に重量物が存在することによって、表示装置本体１の輸送時、表示装置本体１に機械的衝撃が加えられ、表示装置本体１を変形させようとする力が加わったとき、この力が表示装置本体１の中央部分に集中することなく分散する。表示装置本体１を変形させようとする力の分散に対応して、概念的には、図９の点線Ａで示すように変形が分散される。この結果、表示装置本体１が薄型となり、全体としての機械的強度が低下した場合であっても、輸送時の機械的衝撃などの外力による表示装置本体１が破損してしまうのを防止することができる。
【００２８】
図９では、外装ケース５の上部コーナー部の緩衝材２２により保持される領域内および下部コーナー部の緩衝材２３により保持される領域内の両方に装置構成部品２７の重心位置が位置している。しかし、図４に示すように、装置構成部品の１つであるスピーカ１１の重心位置が、外装ケース５の下部コーナー部の緩衝材２３により保持される領域内に位置するように配置した場合であっても、輸送時の機械的衝撃などの外力に対して図９と同様に変形を分散させる効果がある。すなわち、外装ケース５の上部コーナー部の緩衝材２２および下部コーナー部の緩衝材２３のうちの少なくとも一方の緩衝材により保持される領域内に構成部品２７の重心位置が位置していれば、外力による表示装置本体１の破損を防止する効果がある。
【００２９】
図２を参照すると、前述のように表示ユニットの背面側を覆うバックキャビネット７は、周縁部を複数のねじ止め部７ａにおいてねじ止めすることによりフロントキャビネット６に取り付けられている。外装ケース５が狭額縁化されるに伴い、外装ケース５の周縁部の幅が狭くなって強度が低下し、またねじ止め部７ａを行うためのビス穴を開ける必要があるため、さらに強度が低下してしまう。
【００３０】
しかし、図２に最も明瞭に示すように、本実施の形態では、複数のねじ止め部７ａのうち、外装ケース５の上部および下部のコーナー部領域５ａ、５ｂ、５ｃ、５ｄのねじ止め部７ａは、緩衝材２２、２３に保持される領域内に設けている。そのため、輸送時の機械的衝撃などの外力が作用した場合に、コーナー部領域５ａ、５ｂ、５ｃ、５ｄのねじ止め部７ａに伝わる力が減少ないし緩和される。その結果、外装ケース５が狭額縁化されるに伴い、表示装置本体１の外装ケース５の周縁部の強度が低下した場合であっても、表示装置本体１において、その強度が低下した部分に集中して変形させようとする力が加わりにくくなり、この結果、輸送途中で表示装置本体１が破損してしまうのを防止することができる。また、本実施の形態では、バックキャビネット７の短辺側(正面から見たときに長い方の一対の周縁部が長辺で短い方の一対の周縁部が短辺)のすべてねじ止め部７ａが、突出部２２ｅ，２３ｅの先端部２２ｃ，２３ｃよりもコーナー領域部５ａ〜５ｄ側に位置している。この構成により、輸送途中で表示装置本体１が破損してしまうのをより確実に防止できる。
【００３１】
図８を参照すると、前述のように上部および下部の緩衝材２２，２３と梱包箱２１との間には空間２５が設けられている。これらの空間部２５が存在することで、輸送時の機械的衝撃などの外力が作用した際に、緩衝材２２，２３に伝わる力を低減できるので、外装ケース５の上部および下部のコーナー部領域５ａ、５ｂ、５ｃ、５ｄに作用する力を低減ないし緩和できる。また、上部コーナー部の緩衝材２２のバックキャビネット７(背面側)の延長領域部２２ｂ’，２２ｂ’’が備える肉薄部２２ｆは、輸送時の機械的衝撃などの外力が作用した際に、緩衝材２２の他の部分（特にコーナー領域部２２ａ）よりも容易に変形するので、作用した外力を吸収する機能がある。従って、肉薄部２２ｆを設けたことによっても、外装ケース５に作用する力を低減ないし緩和できる。肉薄部は上部および下部コーナー部の緩衝材２２の延長領域部２２ｂ〜２３’’’のすべてに設けてもよいし、これらのうちから一つ又は複数を選んで設けてもよい。
【００３２】
このように本発明においては、薄型表示装置において、より一層の薄型化と狭額縁デザインの採用により機械的な強度が低下しても、輸送時に受ける機械的衝撃などの外力による破損を効果的に防ぐことができる。
【産業上の利用可能性】
【００３３】
以上のように本発明によれば、輸送時における機械的衝撃などの外力による薄型表示装置の破損を防ぐ上で有用な発明である。
【符号の説明】
【００３４】
１  表示装置本体
３  液晶表示パネル
４  バックライト装置
５  外装ケース
５ａ、５ｂ、５ｃ、５ｄ  コーナー部領域
６  フロントキャビネット
７  バックキャビネット
８  信号処理回路ブロック
９  電源ブロック
１０  チューナ
１１  スピーカ
２１  梱包箱
２２，２３，２４  緩衝材
２２ａ，２３ａ  コーナー領域部
２２ｂ，２２ｂ’，２２ｂ’’，２２ｂ’’’，２３ｂ，２３ｂ’,２３ｂ’’，２３ｂ’’’  延長領域部
２２ｃ，２３ｃ  先端部
２２ｅ，２３ｅ  突出部
２２ｆ  肉薄部
２５  空間
２６  表示ユニット
２７  装置構成部品
【手続補正２】
【補正対象書類名】特許請求の範囲
【補正対象項目名】全文
【補正方法】変更
【補正の内容】
【特許請求の範囲】
【請求項１】
平面型の表示パネルおよびこの表示パネルに画像を表示するための駆動回路ブロックを有する表示ユニットと、この表示ユニットを収納する外装ケースとを備え、かつ梱包箱に収容したときに梱包箱の上部および下部のコーナー部に分離して配置された上部コーナー部の緩衝材および下部コーナー部の緩衝材により前記外装ケースの上部および下部のコーナー部領域が保持される薄型表示装置であって、
前記外装ケースは、前記表示ユニットの表示面側に配置されるフロントキャビネットと、前記表示ユニットの背面側を覆うバックキャビネットとを備え、
前記バックキャビネットは、周縁部に設けたねじ止め部により前記フロントキャビネットに取り付けられ、
前記外装ケースの上部および下部のコーナー部領域において、前記バックキャビネットのねじ止め部は、前記緩衝材により保持される領域内に位置することを特徴とする薄型表示装置。
【請求項２】
前記上部コーナー部の緩衝材および前記下部コーナー部の緩衝材は、前記外装ケースのコーナー部を覆うコーナー領域部と、このコーナー領域部から対向するコーナー部側に向かって延長させた延長領域部とを有し、
前記延長領域部は、表示パネルに直交する方向に突出する突出部を備え、この突出部の先端部のみで前記梱包箱の内壁面に当接し、かつ
前記突出部の先端部よりも前記コーナー領域部側に前記バックキャビネットのねじ止め部が位置することを特徴とする請求項１に記載の薄型表示装置。
【請求項３】
前記バックキャビネットは短辺と長辺を備え、
前記バックキャビネットの前記短辺側のすべて前記ねじ止め部が、前記突出部の先端部よりも前記コーナー領域部側に位置することを特徴とする請求項１に記載の薄型表示装置。
【請求項４】
前記上部コーナー部および下部コーナー部の緩衝材のうちの少なくともいずれか一つと梱包箱との間に空間を設けたことを特徴とする請求項１から請求項３のいずれか１項に記載の薄型表示装置。
【請求項５】
前記上部コーナー部および下部コーナー部の緩衝材のうちの少なくともいずれか一つの延長領域部が肉薄部を備えることを特徴とする請求項１から請求項４のいずれか１項に記載の薄型表示装置。
【手続補正３】
【補正対象書類名】図面
【補正対象項目名】全図
【補正方法】変更
【補正の内容】
【図１】
2012117740.tif 000012
【図２】
2012117740.tif 000013
【図３】
2012117740.tif 000014
【図４】
2012117740.tif 000015
【図５】
2012117740.tif 000016
【図６】
2012117740.tif 000017
【図７】
2012117740.tif 000018
【図８】
2012117740.tif 000019
【図９】
2012117740.tif 000020
【国際調査報告】
2012117740.tif 000021
2012117740.tif 000022
2012117740.tif 000023
2012117740.tif 000024